(57)【要約】  本発明は、軽量で、運搬が容易で、高価ではなく、そして多種のエクササイズを行うのに使用が容易なエクササイズ装置に関する。エクササイズ装置は、間隔を空けて配置された１対のスリーブ滑動部を有する、相互に接続された肢からなる剛性のシャフトと、長尺弾性バンドを収容している対向する末端キャップを有しており、該長尺弾性バンドは上記棒および上記棒上のスリーブ滑動部に沿って伸張する辺長を有しており、上記各末端キャップは取っ手が設けられた短尺弾性バンドを収容する。
2010504168.tif 000002
【特許請求の範囲】
【請求項１】
剛性の棒と、
上記棒の両端部の各々における末端キャップと、
上記末端キャップの間を伸張する長尺弾性環状バンドと、
上記末端キャップの各々に取り付けられた短尺弾性環状バンドと、
を備えている、エクササイズ装置。
【請求項２】
上記剛性の棒は、端部と端部とが接続された複数の剛性の肢から形成されている、請求項１に記載のエクササイズ装置。
【請求項３】
上記末端キャップの各々に、
該末端キャップを貫通する第１の穴であって、該末端キャップおよび上記剛性の棒の軸を横切る方向に伸びた、穴と、
該末端キャップを取り付けている上記肢から離れた、該末端キャップの各々における端部に形成された溝であって、上記肢の軸を横切る方向に、該末端キャップを貫通するとともに、上記第１の穴まで達する、溝
とが形成されており、
上記長尺弾性環状バンドは、上記末端キャップの各々における上記第１の穴を通過して伸張する、請求項２に記載のエクササイズ装置。
【請求項４】
上記末端キャップの各々を貫通し、上記末端キャップに形成された上記溝と係合する第２の穴をさらに備えており、
短尺弾性バンドの各々は上記第２の穴を通過する、請求項３に記載のエクササイズ装置。
【請求項５】
上記長尺弾性環状バンドの辺長における中心に形成された取っ手をさらに備える、請求項４に記載のエクササイズ装置。
【請求項６】
上記短尺弾性環状バンドの各々に形成された取っ手をさらに備える、請求項５に記載のエクササイズ装置。
【請求項７】
上記棒の上を、互いに接近するように、または互いに遠ざかるように移動可能である、間隔を空けて配置された１対のスリーブ滑動部をさらに備える、請求項１に記載のエクササイズ装置。
【請求項８】
上記スリーブ滑動部は、上記棒に嵌め込まれており、上記棒に沿って滑動可能である、請求項７に記載のエクササイズ装置。
【請求項９】
上記長尺弾性環状バンドは、上記棒の上記端部間において上記棒に沿って、かつ上記スリーブ滑動部に沿って延伸する辺長を有する、請求項８に記載のエクササイズ装置。
【請求項１０】
上記末端キャップの各々に、
該末端キャップを貫通する第１の穴であって、該末端キャップおよび上記剛性の棒の軸を横切る方向に伸びた、穴と、
該末端キャップを取り付けている上記肢から離れた、該末端キャップの各々における端部に形成された溝であって、上記肢の軸を横切る方向に、該末端キャップを貫通するとともに、上記第１の穴まで達する、溝
とが形成されており、
上記長尺弾性環状バンドは、上記末端キャップの各々における上記第１の穴を通過して伸張する、請求項９に記載のエクササイズ装置。
【請求項１１】
上記末端キャップの各々を貫通し、上記末端キャップに形成された上記溝と係合する第２の穴をさらに備えており、
短尺弾性バンドの各々は上記第２の穴を通過する、請求項１０に記載のエクササイズ装置。
【請求項１２】
上記長尺弾性環状バンドの辺長における中心に形成された取っ手をさらに備える、請求項１１に記載のエクササイズ装置。
【請求項１３】
上記短尺弾性環状バンドの各々に形成された取っ手をさらに備える、請求項１２に記載のエクササイズ装置。
【請求項１４】
長尺の剛性のシャフトと、
棒の端から端まで伸張する長尺弾性コードレスバンドであって、上記棒に沿って伸びる１対の辺長と、上記シャフトの両端において上記辺長の両端と相互に接続する端部とを備えている、長尺弾性コードレスバンドと、
互いに接近するように、または互いに遠ざかるように上記シャフトに沿って往復移動可能な、間隔を空けて配置された１対の把持手段
とを備えており、
上記辺長が上記把持手段に密接して延伸することによって、上記間隔を空けて配置された把持手段が上記シャフトに沿って往復移動中に上記辺長の少なくとも１つが把持され得る、エクササイズ装置。
【請求項１５】
上記剛性の棒は、端部と端部とが接続された複数の剛性の肢から形成されている、請求項１４に記載のエクササイズ装置。
【請求項１６】
上記剛性の棒は、上記肢の端部と端部との接続部から離れた、上記肢の各々の端部上に末端キャップを備える、請求項１４に記載のエクササイズ装置。
【請求項１７】
上記末端キャップの各々に、
該末端キャップを貫通する第１の穴であって、該末端キャップおよび上記剛性の棒の軸を横切る方向に伸びた、穴と、
該末端キャップを取り付けている上記肢から離れた、該末端キャップの各々における端部に形成された溝であって、上記肢の軸を横切る方向に、該末端キャップを貫通するとともに、上記第１の穴まで達する、溝
とが形成されており、
上記長尺弾性環状バンドは、上記末端キャップの各々における上記第１の穴を通過して伸張する、請求項１６に記載のエクササイズ装置。
【請求項１８】
上記末端キャップの各々を貫通し、上記末端キャップに形成された上記溝と係合する第２の穴をさらに備えており、
短尺弾性バンドの各々は上記第２の穴を通過する、請求項１７に記載のエクササイズ装置。
【請求項１９】
上記長尺弾性環状バンドの辺長における中心に形成された取っ手をさらに備える、請求項１８に記載のエクササイズ装置。
【請求項２０】
上記短尺弾性環状バンドの各々に形成された取っ手をさらに備える、請求項１９に記載のエクササイズ装置。
【請求項２１】
上記長尺のシャフトは、８０ｃｍと１００ｃｍとの間の長さを有する、請求項２に記載のエクササイズ装置。
【発明の詳細な説明】
【発明の詳細な説明】
【０００１】
〔背景技術〕
添付の図面とともに、下記の記述が完全なる明細書を構成する。
【０００２】
〔技術分野〕
本発明は、筋力を向上および維持するために使用されるエクササイズ装置に関する。
【０００３】
筋力の増強および維持を望む人が、様々なタイプのエクササイズ装置を使用し得ることは、昔から認識されていることである。当該エクササイズ装置は、非常に簡易なものであってよい。腕および脚を用いて持ち上げるおもり、または抵抗を与えるために伸張可能な大型ゴムバンドを備えていてもよい。それらによって筋力を増強させる。
【０００４】
おもりは、水が満たされたペットボトルと同じくらい簡易なものであってよい。該各ボトルは、筋力を向上させるエクササイズにおいて、ユーザの手によって個々に把持され、持ち上げられるものである。各おもりはまた、手によって持ち上げられる、より重いバーベルであってもよい。または、長尺のシャフトであって、その各端に加えられた１つ以上のウエイトを有する長尺のシャフトを備えていてもよい。該シャフトおよび該ウエイトは、身体の様々な部分における筋肉の向上および維持を目的として、ユーザが上げ下げするものである。
【０００５】
エクササイズ目的に使用される大型ゴムバンドは、腕、脚、および他の身体部分を用いて伸張されてもよく、該バンドの伸張動作によって筋力を向上させる。または、所望の筋力を維持する抵抗が与えられる。大型ゴムバンドはまた、ドアノブなどの固定構造に取り付けることもできる。ユーザは、取り付けられたゴムバンドを伸張させてもよい。これによって、抵抗を受け筋肉向上または維持を得る。
【０００６】
非常に多くのエクササイズマシンおよびエクササイズ装置がまた、これまでに提案されてきた。当該マシンおよび装置は、実質的には簡易式おもり持ち上げシステムおよびゴムバンド伸縮システムと同様の結果を得ることが多い。しかし、改良されたマシンおよび／または装置は、大型でかさばり、そして重いことが多い。このため、既定の場所において使用されねばならない。上記マシンまたはエクササイズ装置がかさばりすぎることおよび重すぎることから、その試用および運搬は実用的でないことが多い。
【０００７】
ある場所からある場所にユーザが簡単に運搬することができる効果的なエクササイズ装置は、依然として必要とされている。場所を移動するユーザは、寝室、ホテルの部屋、またはあらゆる便利な空間において使用するために容易かつ迅速に組立て可能であり、そして分解してある場所からある場所に容易に運搬可能なエクササイズ装置を必要とするか、または所望することが多い。
【０００８】
〔発明の要約〕
（本発明の目的）
本発明の主な目的は、軽量かつ小型であるがゆえに、ある場所から別の場所へ容易に運搬し得るエクササイズ装置を提供することにある。また、他の目的は、使用のために容易に組み立てることができ、ユーザが様々な筋肉および筋群の筋力向上および維持を達成するための多種のエクササイズを実施することを可能にするエクササイズ装置を提供することにある。
【０００９】
他の目的は、より大型、よりかさばるエクササイズ装置と比較して高価ではないエクササイズ装置を提供することにある。
【００１０】
さらなる目的は、おもりや大型ゴムバンドなどの、より簡易式のエクササイズ装置では実施不可能である多くのエクササイズをユーザが実施できるエクササイズ装置を提供することにある。
【００１１】
さらなる目的は、寝室またはホテルの部屋などの限られたスペースであっても、多種の筋肉を動かすために容易に使用可能なエクササイズ装置を提供することにある。
【００１２】
〔本発明の特徴〕
本発明の主要な機構は、容易に組み立てられる部材から構成された、軽量かつ組立ての簡単な細長尺の棒（staff）を備える。
【００１３】
他の機構は、棒の両端に固定された末端部を介して伸張する弾性チューブで構成された、少なくとも１つの長尺伸縮バンドを備える。該長尺伸縮バンドは、棒に密着するときと、緩められるときとにおいて、棒上および棒に取り付けられたスリーブ滑動部の長い部分に沿うように配置された対向側面を有する環状バンド（endless band）として形成されている。
【００１４】
スリーブ滑動部は、棒の両端上において滑動し、また棒上において移動調節可能な把持面を有する。スリーブ滑動部は、棒に沿って移動可能であり、ユーザによる多種のエクササイズの実行中に便利で快適な把持が可能となる間隔を空けて配置される。
【００１５】
間隔を空けたスリーブ滑動部は滑動部材としての役割も果たす。また、把持されたときに、長尺伸縮バンドに近接する辺長とともに、棒に沿って互いに接近するように、または互いに遠ざかるように移動可能である。滑動運動が、長尺伸縮バンドの一部を伸張させて、運動を実行する上で使用される上体の筋肉を増強するための抵抗を与える。
【００１６】
弾性の管からなる、長尺伸縮バンドよりも短い短尺伸縮バンドは、棒の各端部に設けられており、長尺伸縮バンドおよび短尺伸縮バンドは、棒の両端に取り付けられたキャップ内に固定されるとともに、該キャップから突出している。
【００１７】
ユーザは、本発明に係るエクササイズ装置を用いて、実質的に身体における全筋肉および各筋群を運動させてもよい。
【００１８】
以下の詳細な説明、添付の図面および特許請求の範囲から、本発明のさらなる目的および特徴が当業者に明らかになる。
【００１９】
〔図面の簡単な説明〕
〔図１〕
本発明に係るエクササイズ装置の部品を示す分解斜視図である。
〔図２〕
部品が組み立てられた、本発明に係るエクササイズ装置を示す斜視図である。
〔図３〕
エクササイズ装置の側面図である。
〔図４〕
図３と同様の図であるが、棒の両側面から遠ざかるように引っ張られた長尺伸縮バンドを示す。
〔図５〕
図３と同様の図であるが、棒の中点により近く配置されたスリーブ滑動部を示す。
〔図６〕
図３および図５と同様の図であるが、異なる位置にあるスリーブ滑動部を示す。
〔図７〕
本発明に係るエクササイズ装置を用いてエクササイズを行うユーザを示す模式図である。
〔図８〕
図７と同様の図であるが、異なるエクササイズを行うユーザを示す。
〔図９〕
図７と同様の図であるが、他のエクササイズを行うユーザを示す。
〔図１０〕
図７と同様の図であるが、さらなる他のエクササイズを行うユーザを示す。
〔図１１〕
図７と同様の図であるが、本発明に係るエクササイズ装置を用いてさらなる他のエクササイズを行うユーザを示す。
〔図１２〕
本発明に係るエクササイズ装置を用いて他のエクササイズを行うユーザを示す模式図である。
〔図１３〕
本発明に係るエクササイズ装置を用いてさらなる他のエクササイズを行うユーザを示す模式図である。
【００２０】
〔詳細な説明〕
ここで、図面を参照する。
【００２１】
本発明に係るエクササイズ装置２０は、１対の真っ直ぐな剛性の肢（limb）２４および２６を備える。
【００２２】
肢２４は管状であり、非ねじ式端部２８および外面上のねじ式端部３０を備える。同様に、肢２６は管状であり、非ねじ式端部３２および外面上のねじ式端部３４を備える。
【００２３】
肢２４および２６は、軸方向に端と端とが連結器３６と連結する。連結器３６は、管状であり、肢２４における開口端２８、および肢２６における開口端３２の中にそれぞれぴったりと堅く嵌る外径を有する。中心環３８は、連結器３６上に形成されるか、またはそこに連結されており、連結器３６の全長の略中央に配置されている。棒２２を形成する肢２４および２６の組立てにおいて、連結器３６の端部４０が肢２４における端部２８に挿入される。肢２６における端部３２が、連結器３６における端部４２上に嵌め込まれる。肢２４および２６は、押し込まれて環３８と係合する。
【００２４】
スリーブ滑動部４６は、当該滑り部を貫通する口径４８を有する。口径４８は、肢２４の外径よりも僅かに大きい内径を有する。スリーブ滑動部４６は、肢２４におけるねじ式端部３０を越えて肢２４上に嵌り込む。
【００２５】
同様に、スリーブ滑動部５０は、当該滑り部を貫通する口径５２を有しており、該口径５０は、肢２６の外径よりも僅かに大きい内径を有する。スリーブ滑動部５０は、肢２６におけるねじ式端部３４を越えて肢２６上に嵌り込む。
【００２６】
末端キャップ５４は、該キャップを貫通する口径５６を備えており、口径５６は、端部５８において内面上でねじ式であるので、該末端キャップが肢２４におけるねじ式端部３０上にねじ込まれる。末端キャップ５４におけるもう一方の端部５９は非ねじ式である。
【００２７】
他の末端キャップ６０は、該キャップを貫通する口径６２を備える。口径６２は、端部６４において内面上でねじ式であるため、肢２６におけるねじ式端部３４上にねじ込まれる。末端キャップ６０におけるもう一方の端部６５は非ねじ式である。
【００２８】
各末端キャップ５４および６０は、軸方向に間隔を空けて配置された１対の穴６８および７０を有する。各穴６８および７０は、棒２２の軸に対して横軸方向に末端キャップを完全に貫通するように伸びている。各末端キャップ５４および６０はまた、末端キャップにおける非ねじ式端部５９および６５それぞれから伸びるとともに、末端キャップの両側面において穴と係合する細溝７２を有する。
【００２９】
弾性チューブ、すなわち外科用ゴムチューブにより構成された長尺環状伸縮バンド８０は、辺長尺の８２および８４と、該辺長尺に相互接続された端部８６および８８とを有する。長尺環状伸縮バンド８０の両端部の間の長さは、エクササイズ装置２０が組み立てられたときに、辺長８２および８４とバンド８０とが端部８６と８８との間を少し伸張して、辺長がシャフト、ならびにスリーブ滑動部４６および５０の近傍にあるように構成されている。
【００３０】
後に後述するように、ユーザのための手持ち部分を設けるために、取っ手９０および９２が、辺長８２および８４の中間部を囲むようにそれぞれ形成されている。
【００３１】
環状ループ９８として形成されるとともに、外科用ゴムチューブなどの伸縮可能な材料で構成された短尺環状伸縮バンド９６は、ユーザが把持するための、ループ９８における中間部を囲むように形成された取っ手１００を有する。
【００３２】
同様に、環状ループとして形成されるとともに、外科用ゴムチューブなどの伸縮可能な材料で構成された短尺環状伸縮バンド１０６は、ユーザが把持するための、ループ１０８における中間部の周りに形成された取っ手１１０を有する。
【００３３】
図１に示すように、エクササイズ装置は、分解するとユーザが容易に運搬可能な小型の軽量部品からなっている。保管および移動の際に部品をまとめて持つために、図示しない運搬用バッグを使用してもよい。
【００３４】
エクササイズ装置を構成するために使用される部材のうち最もかさばるのは、肢２４および２６である。該肢２４および２６は、例えば約３５ｃｍ〜４５ｃｍの間の丈を有する可能性がある。肢２４および２６は、末端キャップ５４および６０を含んで棒２２として組み立てられたとき、８０ｃｍ〜１００ｃｍの間の長さを有する。このため、該棒はエクササイズ実行中にバンドが末端キャップから伸ばされる、および／または引っ張られるとき、必要とされる最適な機能を果たすことができる。肢２４および２６は、アルミニウム、プラスチック、またはエクササイズ装置２０の使用中に曲がる、または破損することがない適した軽量材料により構成されていることが好ましい。
【００３５】
エクササイズ装置２０を用いて行うことができる典型的なエクササイズを、図４および図７〜図１３に示す。
【００３６】
図４および図１３に示すように、エクササイズ装置２０の使用において、長尺伸縮バンド８０の辺長８２および８４は、棒２２における両側面から外側に同時に広がる。辺長尺の８２および８４は、取っ手９０および９２を用いて反対方向の外側に伸張され、それから緩められる。この伸張および緩和は、ユーザが横になっている、座っている、または立っているときに実行できる。この際に棒２２は浮いており、固定されていない。
【００３７】
図７に示すように、座位のユーザ１２０は、棒２２を足１２２の裏に接触するように配置することができ、棒２２を定位置に確保する。短尺環状伸縮バンド９６および１０６は、手１２６および１２８を用いて取っ手１００および１１０を把持するユーザ１２０によって、伸張され、同時もしくは連続で該バンドを引っ張られて緩められる。
【００３８】
エクササイズ装置２０を用いてユーザが行う他の典型的なエクササイズを図８に示す。図示したように、ユーザは、棒２２の上に座り、足１２２を伸ばした先に短尺伸縮バンド９６および１０６を配置する。ここで、ユーザは脚を用いて、同時または連続的に短尺伸縮バンド９６および１０６を広げる、押す、伸ばす、または緩めることができる。
【００３９】
図９、図１０、および図１２は、ユーザの前（図９）、およびユーザの頭上（図１０）において上げ下げされるエクササイズ装置２０の使用を示す。エクササイズ装置は、いくつかのエクササイズを行うためのおもりとして使用することができる。代替的に、図９、図１０、および、図１２に示すように、ユーザが辺長８４上に立つことができ、さらに下げた位置と頭上に上げた位置との間（図１０）、およびユーザの身体の前で上げた位置との間において（図９および図１２）、棒２２を上げ下げすることができる。図９、図１０、および図１２のエクササイズは、ユーザの前において棒２２を持ち上げることを示しているが、ユーザの頭の後ろにおいて持ち上げるエクササイズもまた実施できることがわかるだろう。また、オーバーヘッドグリップかアンダーヘッドグリップかのいずれかを選択することによって、ユーザがエクササイズを変更できることもわかるだろう。
【００４０】
図１１は、エクササイズ装置２０を用いて実施できる他の典型的なエクササイズを示す。図示したとおり、棒２２はユーザの肩の後ろに配置される。ユーザ１２０は取っ手１００および１１０を把持し、腕と手１２６および１２８とを動かしてバンド９６および１０６を伸張させる。
【００４１】
また、図９、図１０、および図１２に示すように、棒がユーザの体の前、上方、または後ろに配置されている間、ユーザは棒およびスリーブ滑動部に沿って置かれた長尺伸縮バンド８０における辺長８２および８４とともに、スリーブ滑動部４６および５０を把持することができる。その後、棒２２を上げ下げする間、または所望の高さで棒を保持する間に、スリーブ滑動部４６および５０が互いに接近するように、または互いに遠ざかるように移動する。末端キャップとスリーブ滑動部との間の長尺弾性バンドの辺長の一部、またはスリーブ滑動部の間の辺長８２および８４の一部を伸張させる間の、当該スリーブ滑動部の運動によってユーザの腕および上体の筋肉が運動する。
【００４２】
図１２に示されたユーザ１２０は、長尺弾性環状伸縮バンド８０の辺長８４上に立っており、スリーブ滑動部４６および５０、ならびに辺長８２を把持している。その後、ユーザは、辺長８４の伸張部を持ち上げることによって、エクササイズを行うことができる。この際に、棒２２に沿ってスリーブ滑動部を移動することによって、手、腕、および上体の筋肉を運動させることができる。このとき、ユーザは、アンダーハンドグリップの状態で、スリーブ滑動部および辺長８２を把持している。
【００４３】
本明細書中に示されたエクササイズは、エクササイズ装置２０を用いて実施可能であるエクササイズの代表例であるが、エクササイズ装置２０を用いて実施可能であるエクササイズはこれに限定されない。
【００４４】
上述したように、エクササイズ装置２０は軽量であり、伸縮バンド８０を用いて、使用のために容易に組み立てられるものである。バンド８０は、その両端８６および８８において、その両端が溝７２を通過して末端キャップ５４および６０の中に入るために十分な薄さに伸張されるまで伸ばされる。さらに、長尺伸縮バンドが末端キャップ４６および５０の両方を通過して穴７０から延伸して出る。１本の伸縮バンド２０のみを図示したが、当然のことながら、必要であれば、エクササイズ中に付加的抵抗を与えるために１つ以上の当該バンドを設けることができる。
【００４５】
短尺バンド９６および１０６は、向い側の取っ手１００および１１０のバンド部分が溝７２を滑って通り抜けるために十分な薄さになるまで同様に伸張され、短尺バンドが末端キャップ５４および６８のそれぞれに設けられた穴６８を通過するように延伸する。
【００４６】
エクササイズ装置２０は、装置の組立ておよび分解において、道具を全く必要としない。
【００４７】
本発明の好ましい実施形態を本明細書中に記載したが、本開示が例示目的のものであり、本発明であるとみなす添付の特許請求の範囲の範囲内の対象から逸脱することなく、変形が可能であることは理解されるべきである。
【図面の簡単な説明】
【００４８】
【図１】本発明に係るエクササイズ装置の部品を示す分解斜視図である。
【図２】部品が組み立てられた、本発明に係るエクササイズ装置を示す斜視図である。
【図３】エクササイズ装置の側面図である。
【図４】図３と同様の図であるが、棒の両側面から遠ざかるように引っ張られた長尺伸縮バンドを示す。
【図５】図３と同様の図であるが、棒の中点により近く配置されたスリーブ滑動部を示す。
【図６】図３および図５と同様の図であるが、異なる位置にあるスリーブ滑動部を示す。
【図７】本発明に係るエクササイズ装置を用いてエクササイズを行うユーザを示す模式図である。
【図８】図７と同様の図であるが、異なるエクササイズを行うユーザを示す。
【図９】図７と同様の図であるが、他のエクササイズを行うユーザを示す。
【図１０】図７と同様の図であるが、さらなる他のエクササイズを行うユーザを示す。
【図１１】図７と同様の図であるが、本発明に係るエクササイズ装置を用いてさらなる他のエクササイズを行うユーザを示す。
【図１２】本発明に係るエクササイズ装置を用いて他のエクササイズを行うユーザを示す模式図である。
【図１３】本発明に係るエクササイズ装置を用いてさらなる他のエクササイズを行うユーザを示す模式図である。
【図１】
2010504168.tif 000003
【図２】
2010504168.tif 000004
【図３】
2010504168.tif 000005
【図４】
2010504168.tif 000006
【図５】
2010504168.tif 000007
【図６】
2010504168.tif 000008
【図７】
2010504168.tif 000009
【図８】
2010504168.tif 000010
【図９】
2010504168.tif 000011
【図１０】
2010504168.tif 000012
【図１１】
2010504168.tif 000013
【図１２】
2010504168.tif 000014
【図１３】
2010504168.tif 000015
【国際調査報告】
2010504168.tif 000016